(57)【要約】      （修正有）【課題】口紅容器が離脱しにくい口紅容器用アタッチメントを提供する。【解決手段】口紅容器用アタッチメントＴは、口紅を内在した口紅容器１の外周を受け入れる凹所を有し、照明装置のＬＥＤ光源２を内蔵した口紅容器用アタッチメントＴであって、透明又は半透明の第１の環状体５により、筒状外壁部３の先端と内壁部４の先端に跨って筒状外壁部３と内壁部４の間を塞ぎ、筒状外壁部３と内壁部４との間であって、第１の環状体５の裏面側に、透明又は半透明の複数の脚部６が設けられ、この複数の脚部６に変形自在な第２の環状体７が取り付けられ、この第２の環状体７は内壁部４より凹所へ張り出すように取り付けられ、ＬＥＤ光源２の出射方向が複数の脚部６の内、少なくとも、１個の脚部６に臨むように口紅容器用アタッチメント本体Ｔ１内の筒状外壁部３と内壁部４との間に ＬＥＤ光源２が設けられているものである。【選択図】図４
0003190364.tif 000002
【実用新案登録請求の範囲】
【請求項１】
口紅を内在した口紅容器の外周を受け入れる凹所を有し、照明装置のＬＥＤ光源を内蔵した口紅容器用アタッチメントであって、
前記凹所の外側は筒状外壁部で形成され、前記凹所の内側は前記筒状外壁部の内側に配置された凹状の内壁部で形成され、
透明又は半透明の第１の環状体により、前記筒状外壁部の先端と前記内壁部の先端に跨って前記筒状外壁部と前記内壁部の間を塞ぎ、
前記筒状外壁部と前記内壁部との間であって、前記第１の環状体の裏面側に、透明又は半透明の複数の脚部が設けられ、
この複数の脚部に変形自在な第２の環状体が取り付けられ、
この第２の環状体は前記内壁部より前記凹所へ張り出すように取り付けられ、
前記ＬＥＤ光源の出射方向が前記複数の脚部の内、少なくとも、１個の脚部に臨むように前記口紅容器用アタッチメント本体内の前記筒状外壁部と前記内壁部との間に 前記ＬＥＤ光源が設けられている
ことを特徴とする口紅容器用アタッチメント。
【請求項２】
ＬＥＤ光源の出射方向に位置する第１の環状体の部位に凹凸形状が形成されている
ことを特徴とする請求項１記載の口紅容器用アタッチメント。
【考案の詳細な説明】
【技術分野】
【０００１】
本考案は、口紅容器用アタッチメントに係り、特に、口紅容器が離脱しにくい口紅容器用アタッチメントに関する。
【背景技術】
【０００２】
従来、例えば、ＬＥＤ光源を内蔵した化粧品容器がある（特許文献１参照）。
【先行技術文献】
【特許文献】
【０００３】
【特許文献１】意匠登録第１３７６１８９号公報
【考案の概要】
【考案が解決しようとする課題】
【０００４】
上述のＬＥＤ光源を内蔵した化粧品容器は、唇部化粧品を収納する容器であって、唇部化粧品の口紅がなくなれば、使用できず、また、使用者の好みに合った口紅容器を使用できないという問題点があった。
【０００５】
本考案は、上記の問題点を除去するようにした口紅容器用アタッチメントを提供することを目的とする。
【課題を解決するための手段】
【０００６】
請求項１記載の口紅容器用アタッチメントは、口紅を内在した口紅容器の外周を受け入れる凹所を有し、照明装置のＬＥＤ光源を内蔵した口紅容器用アタッチメントであって、前記凹所の外側は筒状外壁部で形成され、前記凹所の内側は前記筒状外壁部の内側に配置された凹状の内壁部で形成され、透明又は半透明の第１の環状体により、前記筒状外壁部の先端と前記内壁部の先端に跨って前記筒状外壁部と前記内壁部の間を塞ぎ、前記筒状外壁部と前記内壁部との間であって、前記第１の環状体の裏面側に、透明又は半透明の複数の脚部が設けられ、この複数の脚部に変形自在な第２の環状体が取り付けられ、この第２の環状体は前記内壁部より前記凹所へ張り出すように取り付けられ、前記ＬＥＤ光源の出射方向が前記複数の脚部の内、少なくとも、１個の脚部に臨むように前記口紅容器用アタッチメント本体内の前記筒状外壁部と前記内壁部との間に 前記ＬＥＤ光源が設けられているものである。
【０００７】
また、請求項２記載の口紅容器用アタッチメントは、請求項１記載の口紅容器用アタッチメントにおいて、ＬＥＤ光源の出射方向に位置する第１の環状体の部位に凹凸形状が形成されているものである。
【考案の効果】
【０００８】
請求項１記載の口紅容器用アタッチメントによれば、口紅容器を照明装置のＬＥＤ光源を内蔵した口紅容器用アタッチメントに装着し、ＬＥＤ光源を付ければ、暗いところでも、口紅容器を使って、化粧することができ、しかも、透明又は半透明の第１の環状体により、前記筒状外壁部の先端と前記内壁部の先端に跨って前記筒状外壁部と前記内壁部の間を塞いでいるため、外部からの筒状外壁部と内壁部との間への異物の侵入を阻止することができ、更に、第２の環状体が内壁部より前記凹所へ張り出すように取り付けられ、前記第２の環状体は変形可能な部材で形成されているため、口紅容器用アタッチメントは口紅容器の外周と密着して取り付けられ、使用時、口紅容器が口紅容器用アタッチメントから離脱しにくく使用勝手を向上させることができる。
【０００９】
また、請求項２記載の口紅容器用アタッチメントによれば、上述の請求項１記載の考案の効果に加え、ＬＥＤ光源の出射方向に位置する第１の環状体の部位に凹凸形状が形成されているため、ＬＥＤ光源からの光を拡散させ、周囲を明るくさせて、暗いところでの化粧作業の利便性を向上させることができる。
【図面の簡単な説明】
【００１０】
【図１】図１は、本考案の一実施例の口紅容器を装着した口紅容器用アタッチメントの概略的斜視図である。
【図２】図２は、図１の概略的平面図である。
【図３】図３は、図２の３ー３線による概略的断面図である。
【図４】図４は、図２の４ー４線による概略的断面図である。
【図５】図５は、図１の口紅容器用アタッチメントを構成する複数の脚部を有する第１の環状体、第２の環状体の概略的斜視図である。
【図６】図６は、図１の口紅容器と異なる他の口紅容器を装着した口紅容器用アタッチメントの概略的断面図である。
【考案を実施するための形態】
【００１１】
本考案の一実施例の口紅容器用アタッチメントを図面を参照して説明する。
図１〜図５に示すＴは口紅容器用アタッチメントで、口紅容器用アタッチメントＴは、口紅を内在した口紅容器１の外周を受け入れる凹所を有し、照明装置のＬＥＤ光源２、２を内蔵している。
なお、図３に示す２１は電池であり、２２はスイッチである。
【００１２】
前記凹所の外側は筒状外壁部３で形成され、前記凹所の内側は筒状外壁部３の内側に配置された凹状の内壁部４で形成されている。
図５に示す５は透明又は半透明の第１の環状体で、第１の環状体５は、合成樹脂で形成されている。
この透明又は半透明の第１の環状体５により、筒状外壁部３の先端と内壁部４の先端に跨って筒状外壁部３と内壁部４の間を塞いでいる。
【００１３】
また、図５に示す６は透明又は半透明の脚部で、透明又は半透明の脚部６は、筒状外壁部３と内壁部４との間であって、第１の環状体５の裏面側に複数（例えば、４個）設けられている。
この複数の脚部６には、変形自在な第２の環状体７が取り付けられている。第２の環状体７は、例えば、シリコンで形成されている。
第２の環状体７は、第２の環状体７の開口部７ａを介して複数の脚部６に取り付けられている。
また、第２の環状体７は図３に示すように、内壁部４より前記凹所へ張り出すように取り付けられている。
【００１４】
そして、ＬＥＤ光源２の出射方向が複数の脚部６の内、少なくとも、１個の脚部６に臨むように口紅容器用アタッチメント本体Ｔ１内の筒状外壁部３と内壁部４との間に ＬＥＤ光源２が設けられている。
【００１５】
従って、上述した口紅容器用アタッチメントＴによれば、口紅容器１を照明装置のＬＥＤ光源２を内蔵した口紅容器用アタッチメントＴに装着し、ＬＥＤ光源２のスイッチ２２を付ければ、暗いところでも、口紅容器１を使って、化粧することができ、しかも、透明又は半透明の第１の環状体５により、筒状外壁部３の先端と内壁部４の先端に跨って筒状外壁部３と内壁部４の間を塞いでいるため、外部からの筒状外壁部３と内壁部４との間への異物の侵入を阻止することができ、更に、第２の環状体７が内壁部４より口紅容器用アタッチメントＴの凹所へ張り出すように取り付けられ、第２の環状体７は変形可能な部材で形成されているため、口紅容器用アタッチメントＴは口紅容器１の外周と密着して取り付けられるため、使用時、口紅容器１が口紅容器用アタッチメントＴから離脱しにくく使用勝手を向上させることができる。
【００１６】
なお、第２の環状体７の内壁部４より口紅容器用アタッチメントＴの凹所へ張り出す量を、例えば、図６に示すように、多くすれば、口紅容器１のある程度の異なる外径に対応することができる。
【００１７】
また、ＬＥＤ光源２の出射方向に位置する第１の環状体５の部位に凹凸形状（図示せず）が形成されているため、ＬＥＤ光源２からの光を拡散させ、周囲を明るくさせて、暗いところでの化粧作業の利便性を向上させることができる。
【符号の説明】
【００１８】
Ｔ      口紅容器用アタッチメント
Ｔ１    口紅容器用アタッチメント本体
１      口紅容器
２      ＬＥＤ光源
３      筒状外壁部
４      内壁部
５      第１の環状体
６      脚部
７      第２の環状体
【図１】
0003190364.tif 000003
【図２】
0003190364.tif 000004
【図３】
0003190364.tif 000005
【図４】
0003190364.tif 000006
【図５】
0003190364.tif 000007
【図６】
0003190364.tif 000008